(57)【要約】【課題】動画視認性に優れ、且つ使用環境に適した表示画像の実現が可能な液晶表示装置を提供する。【解決手段】画素ＰＸをマトリクス状に配した表示パネルＤＰと、表示パネルを照明する光源ＢＬと、表示パネルを制御する駆動制御手段ＣＮＴとを備えた液晶表示装置において、画素は、独立して駆動制御可能な反射部ＰＸｒと透過部ＰＸｔとを有する半透過型液晶画素であり、且つ駆動制御手段は、反射部と透過部それぞれの非映像期間を個別に制御可能になされた液晶表示装置である。【選択図】図１
2008052259.tif 000002
【特許請求の範囲】
【請求項１】
画素をマトリクス状に配した表示パネルと、
前記表示パネルを照明する光源と、
前記表示パネルを制御する駆動制御手段とを備えた液晶表示装置において、
前記画素は、独立して駆動制御可能な反射部と透過部とを有する半透過型液晶画素であり、且つ前記駆動制御手段は、前記反射部と前記透過部それぞれの非映像期間を個別に制御可能になされたことを特徴とする液晶表示装置。
【請求項２】
前記駆動制御手段は、使用環境に基づいて前記透過部と前記反射部との非映像期間を決定することを特徴とする請求項１に記載の液晶表示装置。
【請求項３】
前記液晶表示装置に入射する周囲からの外光の強度を測定する光センサを更に備え、
前記光センサが検出する外光の強度に応じて、前記反射部と前記透過部それぞれの非映像期間が可変されることを特徴とする請求項２に記載の液晶表示装置。
【請求項４】
前記反射部と前記透過部で階調印加電圧特性が異なることを特徴とする請求項１に記載の液晶表示装置。
【請求項５】
前記光源の発光を制御する発光制御手段を更に備え、
前記発光制御手段は、前記透過部の非映像期間に応じて前記光源を間欠的に発光させることを特徴とする請求項１に記載の液晶表示装置。
【請求項６】
画素をマトリクス状に配した表示パネルと、
前記表示パネルを照明する光源と、
前記表示パネルを制御する駆動制御手段とを備えた液晶表示装置において、
前記画素は、独立して駆動制御可能な反射部と透過部とを有する半透過型ＯＣＢ液晶画素であり、且つ前記駆動制御手段は、前記反射部と前記透過部それぞれの黒挿入率を個別に制御可能になされたことを特徴とする液晶表示装置。
【発明の詳細な説明】
【技術分野】
【０００１】
本発明は液晶表示装置に関し、特に動画視認性に優れ、且つ環境照度に依存せず優れた表示画像の実現が可能な半透過型の液晶表示装置に関する。
【背景技術】
【０００２】
液晶表示装置に代表される平面表示装置は、軽量、薄型、低消費電力などの特徴を生かして、パーソナルコンピュータ、情報携帯端末、テレビジョン、あるいはカーナビゲーションシステム等の表示装置として広く利用されている。  
この液晶表示装置では、多数の画素がマトリクス状に配され、そのそれぞれの画素の光透過率が制御されることで表示が行われる。そのため、光を利用する形態によって、透過型液晶表示装置、反射型液晶表示装置、あるいは半透過型液晶表示装置の各種の液晶表示装置が知られている。
【０００３】
透過型液晶表示装置は、バックライトと呼ばれる照明装置を表示パネルの背面に設け、その光の透過量を制御して画像を表示する。この透過型液晶表示方式では、周囲光が少ない暗い場所においても良好な画像表示が可能である。しかし、屋外等の周囲光が明るい場所では輝度が不足し、表示視認性が低下する。
【０００４】
一方、反射型液晶表示装置は、表示装置の周囲光を表示パネルの内部で反射させ、その反射量を制御して画像を表示する。このため、屋外等の周囲光が明るい場所での使用には適しているものの、周囲光が少ない暗い場所においては、表示を認識できないという問題がある。  
半透過型液晶表示装置では、周囲光を反射することによって画像を表示する反射部とバックライト光を透過することによって画像を表示する透過部とを１画素内に備える。これによって、透過型表示機能と反射型表示機能とを両立させることが可能となり、よって環境照度によらず優れた表示を実現できる（例えば、特許文献１参照）。
【特許文献１】特開２００５−６２５７３号公報
【発明の開示】
【発明が解決しようとする課題】
【０００５】
ところで、液晶テレビや携帯電話などの分野では、動画表示に必要とされる高速な液晶応答性を有すると共に、広視野角の実現が可能なＯＣＢモード（Optically Compensated Bend）の液晶表示パネルが注目されている。  
ＯＣＢモードの液晶表示パネルでは、画像を表示する際には液晶配向がスプレー配向からベンド配向へ転移される必要がある。そのため、電源投入時において比較的大きな電界が液晶に印加される。しかし、この液晶配向は一旦ベンド配向に転移しても、スプレー配向のエネルギーとベンド配向のエネルギーとが拮抗するレベル以下の電圧印加状態や電圧無印加状態が長期間続く場合に、再びスプレー配向に逆転移してしまうという性質を有する。  
そこで、ベンド配向からスプレー配向への逆転移を防止するため、例えば１フレームの画像を表示するフレーム毎に大きな電圧を液晶に印加する駆動方式が知られている。例えば、ノーマリホワイトの液晶表示パネルでは、この電圧が黒表示となる画素電圧に相当するため、一定の割合で黒表示を挿入する、所謂、黒挿入駆動と呼ばれる駆動方法が採られる。ちなみに、この黒挿入駆動は、動画表示において観察者の視覚に生ずる網膜残像の影響で低下する視認性を輝度の離散的なインパルス応答によって改善することにもなる。
【０００６】
しかしながら、この黒挿入駆動は、黒挿入駆動を用いない場合に比して、時間開口率は低下するため、光利用効率は低下する。
【０００７】
本発明はこのような課題を解決するためになされたものであって、動画視認性に優れ、且つ使用環境に適した表示画像の実現が可能な液晶表示装置を提供することを目的とする。
【課題を解決するための手段】
【０００８】
本発明は、画素をマトリクス状に配した表示パネルと、前記表示パネルを照明する光源と、前記表示パネルを制御する駆動制御手段とを備えた液晶表示装置において、前記画素は、独立して駆動制御可能な反射部と透過部とを有する半透過型液晶画素であり、且つ前記駆動制御手段は、前記反射部と前記透過部それぞれの非映像期間を個別に制御可能になされた液晶表示装置である。
【０００９】
また本発明は、画素をマトリクス状に配した表示パネルと、前記表示パネルを照明する光源と、前記表示パネルを制御する駆動制御手段とを備えた液晶表示装置において、前記画素は、独立して駆動制御可能な反射部と透過部とを有する半透過型ＯＣＢ液晶画素であり、且つ前記駆動制御手段は、前記反射部と前記透過部それぞれの黒挿入率を個別に制御可能になされた液晶表示装置である。
【発明の効果】
【００１０】
この発明によれば、動画視認性に優れ、且つ使用環境に適した表示画像の実現が可能な半透過型液晶表示装置を得ることができる。
【発明を実施するための最良の形態】
【００１１】
〔第１の実施の形態〕  
以下、本発明の第１の実施形態に係る半透過型ＯＣＢ液晶表示装置（以下、液晶表示装置という）について添付図面を参照して説明する。  
図１は、液晶表示装置１の回路構成を概略的に示す図であり、図３は図１の液晶表示パネルＤＰの一部概略断面図である。  
液晶表示装置１は、複数のＯＣＢ液晶画素ＰＸを配した液晶表示パネルＤＰ、液晶表示パネルＤＰを制御する表示制御回路ＣＮＴおよび液晶表示パネルＤＰを照明するバックライトＢＬを備える。液晶表示パネルＤＰはアレイ基板２および対向基板３間に液晶層４を挟持した構造である。 
ＯＣＢ液晶画素ＰＸは半透過型の液晶画素であり、各表示画素は、液晶表示パネルＤＰの奇数行に配された反射型の画素ＰＸｒと偶数行に配された透過型の画素ＰＸｔとを一組として構成されている。即ち、ＯＣＢ液晶画素ＰＸの透過部と反射部とは、一画素内において電気的に独立して構成されている。  
表示制御回路ＣＮＴはアレイ基板２および対向基板３から液晶層４に印加される液晶駆動電圧を変化させることにより液晶表示パネルＤＰの透過率（反射率）を制御する。  
アレイ基板２は、複数の画素電極ＰＥ、複数のゲート線Ｇ（Ｇ１〜Ｇｍ）、複数のソース線Ｘ（Ｘ１〜Ｘｎ）、画素スイッチング素子Ｗ、ゲートドライバ１０、およびソースドライバ２０を有する。そして、それぞれのゲート線Ｇは、透過用のゲート線Ｇｔ、反射用のゲート線Ｇｒからなっており、それぞれのソース線Ｘは透過用のソース線Ｘｔ、反射用のソース線Ｘｒからなっている。  
画素電極ＰＥは、例えばガラス等の透明絶縁基板上にマトリクス状に配置される。ゲート線Ｇは、複数の画素電極ＰＥの行に沿って配置される。透過用のゲート線Ｇｔと反射用のゲート線Ｇｒとは、それぞれ透過型の画素ＰＸｔと反射型の画素ＰＸｒとを電気的に独立して駆動する。透過用のソース線Ｘ（Ｘ１t〜Ｘｎt）と反射用のソース線Ｘ（Ｘ１r〜Ｘｎr）とは、複数の画素電極ＰＥの列に沿って配置され、対応する透過型の画素ＰＸｔと反射型の画素ＰＸｒとに画素スイッチング素子Ｗを介して電気的に接続されている。画素スイッチング素子Ｗは、これらゲート線Ｇおよびソース線Ｘの交差位置近傍に配置される。ゲートドライバ１０は、複数のゲート線Ｇを順次駆動する。ソースドライバ２０は、各ゲート線Ｇが駆動される間に複数のソース線Ｘを駆動する。
【００１２】
各画素スイッチング素子Ｗは、例えばポリシリコン薄膜トランジスタからなる。この場合、薄膜トランジスタのゲートが１本のゲート線Ｇに接続され、ソースおよびドレインパスが１本のソース線Ｘおよび１個の画素電極ＰＥ間にそれぞれ接続される。  
尚、ゲートドライバ１０は画素スイッチング素子Ｗと同一工程で同時に形成されるポリシリコン薄膜トランジスタを用いて構成される。また、ソースドライバ２０はＣＯＧ（Chip On Glass）技術によりアレイ基板２にマウントされた集積回路（ＩＣ）チップである。ソースドライバ２０は、ゲートドライバ１０と同様に、ポリシリコン薄膜トランジスタを用いて構成することもできる。
【００１３】
対向基板３は、例えばガラス等の透明絶縁基板上に配置され複数の画素電極ＰＥの列にそれぞれ対向する赤、緑、および青の着色層からなるカラーフィルタ（図示せず）、およびカラーフィルタ上に配置され複数の画素電極ＰＥ全体に対向する共通電極ＣＥ等を含む。  
透過型の各画素ＰＸｔを構成する画素電極ＰＥおよび共通電極ＣＥは例えばＩＴＯ等の透明電極材料からなり、画素電極ＰＥおよび共通電極ＣＥ間の電界に対応して画素電極ＰＥおよび共通電極ＣＥ間に配置される液晶層４の液晶分子配列が制御される。また、反射型の各画素ＰＸｒを構成する画素電極ＰＥは、例えばアルミニウム等の反射電極材料からなり、画素電極ＰＥおよび共通電極ＣＥ間の電界に対応して画素電極ＰＥおよび共通電極ＣＥ間に配置される液晶層４の液晶分子配列が制御される。画素電極ＰＥ、共通電極ＣＥ及び液晶層４の画素領域が、ＯＣＢ液晶画素ＰＸを構成する。
【００１４】
表示制御回路ＣＮＴは、フレームメモリ１３、設定値メモリ１５、駆動制御部１６及び外光センサ１７を備えている。この外光センサ１７は、液晶表示パネルＤＰを構成するアレイ基板２上に一体的に設けてもかまわない。より詳しくは、アレイ基板２上の周辺領域に、画素スイッチング素子Ｗと同一工程でＰＩＮダイオードを作成することで外光センサを構成することができる。
【００１５】
フレームメモリ１３は、デジタル映像信号から抽出された表示信号を保存する。駆動制御部１６は、外部信号源（不図示）から入力される同期信号に基づいてフレームメモリ１３に保存された表示信号から生成したソース信号、制御信号を順次出力する。ここで、駆動制御部１６が生成するソース信号は、透過型の画素ＰＸｔと反射型の画素ＰＸｒに対する表示信号であって、黒挿入用の黒信号を含むように変換される。また、駆動制御部１６は、外部信号源から入力される同期信号に基づいてゲートドライバ１０に対する制御信号であるゲート信号を発生する。さらに駆動制御部１６は、外部信号源から入力される同期信号に基づいてバックライトＢＬの点滅を制御する同期信号を出力する。
【００１６】
外光センサ１７は、液晶表示装置周囲の外光強度を測定する。設定値メモリ１５は、外光強度に対応して定められた、透過型の画素ＰＸｔと反射型の画素ＰＸｒに対するそれぞれの黒挿入率を設定データとして保存する。  
ゲートドライバ１０は、複数のスイッチング素子Ｗを行単位に導通させるように複数のゲート線Ｇ１〜Ｇｍを駆動する。ソースドライバ２０は、各行のスイッチング素子Ｗが対応ゲート線Ｇの駆動によって導通する期間において画素電圧を複数のソース線Ｘ１〜Ｘｎにそれぞれ出力する。駆動制御部１６は、外部から入力される映像信号に対して、黒挿入変換を行い、この変換結果に対するゲートドライバ１０およびソースドライバ２０の動作タイミング等を制御する。
【００１７】
図２は、ソースドライバの構成を概略的に示す図である。  
なお、ソースドライバ２０には、反射型液晶を駆動するソースドライバと透過型液晶を駆動するソースドライバとが設けられている。これらソースドライバは、実質的に同一の構成である。従って、以下のソースドライバの説明では、反射型液晶用、透過型液晶用を区別せずに、その構成及び動作を説明する。
【００１８】
制御信号ＣＴＸは駆動制御部１６からソースドライバ２０に供給され、１行（ライン）の画素ＰＸに対する映像信号または非映像信号である表示信号DATAを複数のソース線Ｘにそれぞれ割り当てるために用いられる。制御信号ＣＴＸは水平スタート信号ＳＴＨ、水平クロック信号ＣＫＨ、ストローブ信号ＳＴＢ、および極性信号ＰＯＬを含んでいる。水平スタート信号ＳＴＨは、所定期間毎に発生されるパルスである。水平クロック信号ＣＫＨは、所定期間の各々においてソース線数分発生されるパルスである。ストローブ信号ＳＴＢは、スタート信号ＳＴＨから所定時間遅れて発生されるパルスである。このストローブ信号ＳＴＢは、１ラインの画素ＰＸに対する表示信号DATAの変換結果である画素電圧を並列的にソース線Ｘ１〜Ｘｎに出力するために使用される。極性信号ＰＯＬは、１水平走査期間毎および１垂直走査期間毎に画素電圧の極性を反転させるための信号である。
【００１９】
ソースドライバ２０は、シフトレジスタ２１、サンプリング＆ロードラッチ２２、デジタルアナログ（Ｄ／Ａ）変換回路２３、および出力バッファ回路２４を含む。  
シフトレジスタ２１は、水平スタート信号ＳＴＨを水平クロック信号ＣＫＨに同期してシフトし、表示信号DATAを順次直並列変換するタイミングを制御する。サンプリング＆ロードラッチ２２は、シフトレジスタ２１の制御により１ラインの画素ＰＸｔ、画素ＰＸｒに対する表示信号DATAを順次ラッチし、並列的に出力する。デジタルアナログ（Ｄ／Ａ）変換回路２３は、表示信号DATAをアナログ形式の画素電圧に変換する。出力バッファ回路２４は、Ｄ／Ａ変換回路２３から得られるアナログ画素電圧をソース線Ｘ１〜Ｘｎに出力する。
【００２０】
以上説明したゲートドライバ１０およびソースドライバ２０の動作が、１フレーム分の黒挿入用の非映像信号と、１フレーム分の映像信号とについて実行される。黒挿入用の非映像信号に対応する画素電圧の保持期間に対して映像信号に対応する画素電圧の保持期間を設定値メモリ１５の設定データに基づいて変化させることによって、１フレーム期間に対する非映像信号に対応する画素電圧の保持期間の比率である黒挿入率を画素ＰＸｔ、画素ＰＸｒに対して変更することができる。
【００２１】
また、液晶表示パネルＤＰは、図３に示すように、液晶表示パネルＤＰの一方の外面側に配置された第２偏光板ＰＯＬ２、液晶表示パネルＤＰの他方の外面側に配置された第１偏光板ＰＯＬ１を備えている。そして、更に液晶表示パネルＤＰの裏面には、この液晶表示パネルＤＰを照明するバックライトＢＬを備えている。
【００２２】
ここで適用される第１偏光板ＰＯＬ１及び第２偏光板ＰＯＬ２は、光の進行方向に直交する平面内において、互いに直交する吸収軸及び透過軸を有している。このような偏光板は、ランダムな方向の振動面を有する光から、透過軸と平行な１方向の振動面を有する光すなわち直線偏光の偏光状態を有する光を取り出すものである。
【００２３】
図４は、透過部と反射部の変調率を示す図である。  
透過部では、バックライトＢＬからの光は、第１偏光板ＰＯＬ１、液晶表示パネルＤＰ、第２偏光板ＰＯＬ２を透過する。この光の経路において、図４の（１）に示すように、変調率が０Ｖ近傍において最大となる様に設計する。  
反射部では、周囲からの光は、第２偏光板ＰＯＬ２、液晶表示パネルＤＰ、第２偏光板ＰＯＬ２と進行する。そこで、図３に示す反射部のセルギャップｄｒを透過部のセルギャップｄｔのほぼ１／２倍に設定することで、反射部と透過部の変調率特性をほぼ同一にすることができる。図４の（２）に反射部の変調率特性を示す。
【００２４】
但し、反射部と透過部の変調率特性は同一である必要はなく、それぞれ固有の変調率特性であれば良い。  
なお、例えばセルギャップｄｒ、ｄｔを変化するとリタデーション値を変化させることができる。リタデーション値が変化するとそれに伴って変調率も変化するため、セルギャップを調整して変調率特性を変更することができる。  
また、図４に示すように、本液晶表示装置の画素の透過部と反射部にはそれぞれ独立に電圧を付与することが可能である。  
変調率特性を同一とできれば駆動回路の構成を共用することも可能であるが、変調率特性を同一とできなくとも反射部と透過部それぞれの特性に合わせて個別に電圧を調整することで、光学特性を犠牲にすることなく広い視野角を得ることができる。
【００２５】
図５は、本発明の実施の形態に係る液晶表示装置の表示動作を模式的に説明する図である。図５では、白い部分は映像表示期間を表し、ハッチングを付した部分は非映像表示期間（黒挿入期間）を表している。  
本実施の形態では、透過部、反射部ともに黒挿入駆動を行う。その際、外光強度に応じて透過部、反射部それぞれの黒挿入率を選択して適切な視認性を確保する。この際、透過型の画素ＰＸｔと反射型の画素ＰＸｒとを組み合せた一表示画素に実効的に印加される黒挿入期間が逆転移を防止する一定の期間以上に設定されるよう選定する。
【００２６】
図５の（２）は、外光強度が中程度のときの、透過部と反射部の白表示特性を示している。  
外光強度が中程度の場合は、反射部と透過部とが表示特性に寄与する程度は同程度であるため、反射部と透過部の黒挿入率は予め定められた値を採用する。通常、反射部の光利用率が低いため、反射部の黒挿入率は透過部の黒挿入率よりも小さくしている。これによって明るさのロスを低減している。
【００２７】
図５の（１）は、外光強度が強いときの、透過部と反射部の白表示特性を示している。  
外光強度が強い場合は、反射部が透過部よりも表示特性に寄与するところが大きい。従って、反射部の黒挿入率を小さくして、１フレーム中における映像の表示期間の割合を大きくすると共に、透過部の黒挿入率を大きくして、１フレーム中における映像の表示期間の割合を小さくする。
【００２８】
図５の（３）は、外光強度が弱いときの、透過部と反射部の白表示特性を示している。  
外光強度が弱い場合は、透過部が反射部よりも表示特性に寄与するところが大きい。従って、透過部の黒挿入率を小さくして、１フレーム中における映像の表示期間の割合を大きくすると共に、反射部の黒挿入率を大きくして、１フレーム中における映像の表示期間の割合を小さくする。
【００２９】
上述の透過部及び反射部の黒挿入率は、駆動制御部１６が外光強度に基づいて決定する。即ち、駆動制御部１６は、外光センサ１７より外光強度信号を入力し、設定値メモリ１５の黒挿入率設定テーブルを検索して、対応する透過部及び反射部の黒挿入率を求める。
【００３０】
図６は、黒挿入率設定テーブルの内容を示す図である。  
外光強度Ｉに対応して、透過部の黒挿入率Ａｔ、反射部の黒挿入率Ａｒが設定されている。ここで、ユーザは黒挿入率Ａｔ、Ａｒについてそれぞれ所望の値を設定することができるが、明るさ安定の観点からは、例えば、Ａｔ  ＋  Ａｒ  がほぼ一定値になるように設定する。  
但し、黒挿入は動画視認性の向上の他に、ＯＣＢ液晶のベンド配向からスプレー配向への逆転移を防止する意義も備えている。従って、所定以上の電圧を所定時間以上付与する必要があり、Ａｔ、Ａｒには最低値が存在する。例えば、Ａｔ、Ａｒは、それぞれ室温で1フレーム60Hｚの場合、その２０％以上の時間であることが望ましい。上述の黒挿入率設定テーブルには、これらの条件に適合した黒挿入率が設定されている。
【００３１】
図７は、例えば外光強度が強い環境下で使用される場合の駆動波形を示している。即ち、反射部の黒挿入率が透過部の黒挿入率よりも小さく設定され、例えば反射部の黒挿入率が２０％、透過部の黒挿入率が５０％に設定されている。
【００３２】
反射部の画素に対応したゲート線には順次走査電圧ＶＧｒｎが印加され、また透過部の画素に対応したゲート線にも順次走査電圧ＶＧｔｎが印加される。これにより、対応した信号電圧が各画素に保持され、表示がなされる。
【００３３】
ここで、反射部の画素に対応したゲート線には信号電圧を書き込むための走査電圧ＶＧｒｎを印加した後、黒挿入率が２０％になるよう一定期間経過後再び走査電圧ＶＧｒｎが印加され、黒表示用電圧が書き込まれる。また、透過部の画素に対応したゲート線にも信号電圧を書き込むための走査電圧ＶＧｒｎを印加した後、黒挿入率が５０％になるよう一定期間経過後再び走査電圧ＶＧｒｎが印加され、黒表示用電圧が書き込まれる。
【００３４】
このように、反射部と透過部とで、黒表示用電圧の書き込みのタイミングを独立制御することにより、黒挿入率を異ならしめることができる。
【００３５】
更に、反射部と透過部とが、それぞれ電気的に独立した信号線に基づき制御されるため、反射部と透過部の電圧−透過率特性に最適な駆動電圧に設定することができ、良好な画像表示が実現される。
【００３６】
図８は、例えば外光強度が強い環境下で使用される場合の他の駆動波形であって、反射部の黒挿入率が透過部の黒挿入率よりも小さく設定され、例えば、図７に示す例と同様に、反射部の黒挿入率が２０％、透過部の黒挿入率が５０％に設定されている。
【００３７】
この駆動波形は、上記した駆動波形と異なり、透過部と反射部とに、それぞれ同じタイミングで黒表示用電圧が印加される。
【００３８】
そして、反射部では、最短の黒挿入率が２０％になるよう、一定期間経過、走査電圧ＶＧｒｎが順次印加され、対応画素に映像信号電圧が印加される。同様に、透過部では、最短の黒挿入率が５０％になるよう、一定期間経過、走査電圧ＶＧｒｎが順次印加され、対応画素に映像信号電圧が印加される。
【００３９】
そして、透過部への映像信号電圧の書込みが終了した段階で、バックライトが点灯し、透過部での画像表示が実現される。
【００４０】
このような駆動方法を採用することにより、先の例に比べて、バックライトを選択的に点灯することにより、バックライトの消費電力を抑えることが可能となる。  ここでは、環境条件として周囲光をモニタリングして黒挿入率を制御したが、この他にも例えばバッテリー容量に基づいて制御してもかまわない。即ち、バッテリー容量が所定値よりも減少した場合、反射部の黒挿入率を少なくし、逆に透過部の黒挿入率を大きくする。これにより、透過部のバックライトの点灯時間を短くすることができるので、消費電力を抑えることができる。
【００４１】
また、液晶パネルＤＰの周囲の温度に基づいて黒挿入率を制御しても良い。ＯＣＢモードの液晶パネルＤＰでは、温度が高いほど液晶材料の粘弾性が低下するため、低温に比して逆転移が生じやすくなる。そこで、温度センサを組み合せることにより、液晶表示パネルＤＰの温度が高くなるにつれて黒挿入率を高く制御するように構成してもかまわない。あるいは、温度センサを組み合せることにより、液晶表示パネルＤＰの温度が高くなるにつれて黒挿入時の黒電圧を高く制御するように構成してもかまわない。
【００４２】
また、ＯＣＢモードの液晶パネルＤＰでは、環境温度によって最適な黒表示を得るための電圧（最適黒電圧）も変化する。このため、温度センサを組み合せることにより、液晶表示パネルＤＰの温度に応じて黒挿入時の電圧を最適黒電圧に設定するように調整してもかまわない。
【００４３】
〔第２の実施の形態〕  
第２の実施の形態では、液晶画素ＰＸとソース線Ｘとの接続の態様が第１の実施の形態と異なっている。従って、第１の実施の形態と同一の部位には同一の符号を付してその詳細の説明は省略する。  
図９は、液晶画素とゲート線、ソース線との接続を示す図である。  
ＯＣＢ液晶画素ＰＸは半透過型の液晶画素であり、液晶表示パネルＤＰの奇数行に配された反射型の画素ＰＸｒと偶数行に配された透過型の画素ＰＸｔとで構成されている。即ち、ＯＣＢ液晶画素ＰＸの透過部と反射部とは、一画素内において独立して構成されている。  
そして、ＯＣＢ液晶画素ＰＸには透過用のゲート線Ｇｔと反射用のゲート線Ｇｒとが接続され、それぞれ透過型の画素ＰＸｔと反射型の画素ＰＸｒとを駆動する。第１の実施形態では、透過型の画素ＰＸｔと反射型の画素ＰＸｒとを、それぞれ電気的に独立した信号線で制御したが、この実施形態では同一の信号線で制御している点が異なる。
【００４４】
これにより、信号線数を軽減することができ、これにより透過部での開口率を第１の実施形態に比べて向上させることが可能になる。
【００４５】
この場合、透過画素用の走査電圧と反射画素用の走査電圧の印加タイミングが一致しないように制御することにより、第１の実施形態と同様の駆動を実現することができる。
【００４６】
また、反射部の黒書き込み、反射部の信号書き込み、透過部の黒書き込み、透過部の信号書き込みを時分割で行い、反射部、透過部での黒挿入率を制御するものであってもかまわない。
【００４７】
尚、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】液晶表示装置の回路構成を概略的に示す図。
【図２】ソースドライバの構成を概略的に示す図。
【図３】液晶表示パネルの一部概略断面図。
【図４】透過部と反射部の変調率を示す図。
【図５】本発明の実施の形態に係る液晶表示装置の表示動作を説明する図。
【図６】黒挿入率設定テーブルの内容を示す図。
【図７】外光強度が強い環境下で使用される場合の駆動波形を示す図。
【図８】外光強度が強い環境下で使用される場合の他の駆動波形を示す図。
【図９】液晶画素とゲート線、ソース線との接続を示す図。
【符号の説明】
【００４９】
２…アレイ基板、３…対向基板、４…液晶層、７…階調基準電圧発生回路、１０…ゲートドライバ、１５…設定値メモリ、１６…駆動制御回路、１７…外光センサ、２０…ソースドライバ、２３…Ｄ／Ａ変換回路、２３’…Ｄ／Ａ変換部、ＰＥ…画素電極、ＣＥ…共通電極、ＰＸ…液晶画素、ＤＰ…表示パネル、ＰＯＬ１…第１偏光素子、ＰＯＬ２…第２偏光素子、ＢＬ…バックライト、ＣＮＴ…表示制御回路、ＤＰ…液晶表示パネル、Ｘ…ソース線、Ｘｔ…透過用ソース線、Ｘｒ…反射用ソース線、Ｇ…ゲート線、Ｇｔ…透過用ゲート線、Ｇｒ…反射用ゲート線、Ｗ…画素スイッチング素子。
【図１】
2008052259.tif 000003
【図２】
2008052259.tif 000004
【図３】
2008052259.tif 000005
【図４】
2008052259.tif 000006
【図５】
2008052259.tif 000007
【図６】
2008052259.tif 000008
【図７】
2008052259.tif 000009
【図８】
2008052259.tif 000010
【図９】
2008052259.tif 000011